(57)【要約】【課題】振動または衝撃が生じても出力の信頼性を向上できる放射線検出器を提供する。【解決手段】陽極１５と陽極端子１６とを陽極体１４により接続部を有することなく一体に形成する。使用中に放射線検出器１に振動あるいは衝撃が加わったとしても、陽極１５および陽極端子１６は陽極体１４により一体に形成されており、陽極１５および陽極端子１６の間には機械的な接続部分がないため歪が生じにくく、出力が振動あるいは衝撃により変動することを抑制できる。陽極体１４は、陽極１５および陽極端子１６を一体に形成し、間隔を介して絶縁スペーサ６の支持孔７で陽極体１４の先端を支持固定し、絶縁スペーサ１２の支持孔１３で陽極体１４の基端側を支持固定するため、横荷重による撓みも少なく、より衝撃あるいは振動による影響を受けにくい。【選択図】        図１
2004212289.tif 000002
【特許請求の範囲】
【請求項１】
筒状陰極を有する両端が封止された筒状の気密容器と、
前記筒状陰極内に配置された陽極および前記気密容器外に導出される陽極端子が一体に形成された陽極体と、
前記気密容器内の筒状陰極および陽極間に封入された電離ガスと
を具備したことを特徴とする放射線検出器。
【請求項２】
陽極体は、間隙を介した複数箇所で保持される
ことを特徴とする請求項１記載の放射線検出器。
【請求項３】
陽極体は、陽極の一方を片持ち保持している
ことを特徴とする請求項１記載の放射線検出器。
【請求項４】
陽極体は、気密容器の封止部において保持される
ことを特徴とする請求項１ないし３いずれか記載の放射線検出器。
【発明の詳細な説明】
【０００１】
【発明の属する技術分野】
本発明は、筒状陰極内に陽極が配設された放射線検出器に関する。
【０００２】
【従来の技術】
従来、この種の放射線検出器としては、特開平８−１０１２７６号公報に記載の構成が知られている。この特開平８−１０１２７６号公報に記載の放射線検出器は、両端がスペーサで閉塞された筒状陰極内に、キセノンガスなどの電離ガスを封入するとともに、筒状陰極に対して同軸状に棒状の陽極を配設し、スペーサから外部には陽極とは別体の陽極端子を導出し、この陽極端子を筒状陰極内の陽極と電気的に接続している。
【０００３】
そして、放射線が照射されると、入射された放射線により電離ガスが陽イオンと電子に分離され、陽極に電子が収集されて電離電流が流れて陽極端子から出力し放射線が検出される。
【０００４】
【発明が解決しようとする課題】
しかしながら、上記特開平８−１０１２７６号公報に記載の放射線検出器の場合、使用中の振動または衝撃により、陽極と陽極端子を接続している部分に歪が生じて測定の出力が変動するおそれがある。
【０００５】
本発明は、上記問題点に鑑みなされたもので、振動または衝撃が生じても出力の信頼性を向上できる放射線検出器を提供することを目的とする。
【０００６】
【課題を解決するための手段】
本発明の放射線検出器は、筒状陰極を有する両端が封止された筒状の気密容器と、前記筒状陰極内に配置された陽極および前記気密容器外に導出される陽極端子が一体に形成された陽極体と、前記気密容器内の筒状陰極および陽極間に封入された電離ガスとを具備したもので、筒状陰極内に配置された陽極および気密容器外に導出する陽極端子を一体にした陽極体を用いることにより、振動または衝撃が生じても陽極体は陽極および陽極端子が一体で接続する部分がないため歪が生じないので、入射された放射線により電離ガスが陽イオンと電子に分離され、陽極に電子が収集されて電離電流が流れて陽極端子から出力する際に、出力が変動しない。
【０００７】
【発明の実施の形態】
以下、本発明の放射線検出器の一実施の形態を図面を参照して説明する。
【０００８】
図１に示すように、この放射線検出器１は、例えば溶鉱炉などで鉄鋼の圧延工程における金属の厚さ測定などに用いられる。
【０００９】
そして、この放射線検出器１は、内部に気密の収容部が形成された気密容器としての気密ケース２を有し、気密ケース２は耐放射線性に優れたたとえばステンレスあるいはアルミニウムで形成された円筒状の筒状陰極３を有し、この筒状陰極３の一端は筒状陰極３の一端を気密に閉塞する封止板４で封止され、この封止板４は排気管５が設けられている。また、この封止板４の内部側には例えばアルミナセラミックス製等の絶縁性を有する絶縁スペーサ６が設けられ、絶縁スペーサ６の内部側には中心軸上に有底状の支持孔７が形成されている。一方、筒状陰極３の他端は筒状陰極３に内接する筒状のスペーサ１１が設けられ、このスペーサ１１の内面には同様に例えばアルミナセラミックス製等の絶縁性を有する絶縁スペーサ１２が取り付けられ、この絶縁スペーサ１２はスペーサ１１の一端側と他端側とを気密に閉塞して封止する。また、絶縁スペーサ１２は中心軸上に支持孔１３が形成されている。そして、この絶縁スペーサ１２の支持孔１３には棒状のコバール製の陽極体１４が挿通され、この陽極体１４の先端を絶縁スペーサ６の支持孔７に挿入されて支持固定されている。ここで、この陽極体１４としては、４２アロイや５０アロイ等の他の低膨張性合金を使用することができる。また、陽極体１４は筒状陰極３の内部の部分では筒状陰極３と同軸状に配置された陽極１５となり、絶縁スペーサ１２の外部に位置し気密ケース２の外に導出される部分では陽極端子１６となり、すなわち陽極１５と陽極端子１６とは、陽極体１４により接続部を有することなく一体に形成されている。
【００１０】
そして、気密ケース２内には、１０気圧ないし３０気圧の範囲でキセノン（Ｘｅ）ガスなどの電離ガスが封入されている。
【００１１】
また、陽極体１４の陽極端子１６は図示しない直流電源および電流計に電気的に接続され、筒状陰極３は接地される。
【００１２】
ここで、放射線検出器１の製造方法について説明する。
【００１３】
まず、筒状陰極３の一端側を封止板４で閉塞して封止して気密にし、この封止板４の内部側に絶縁スペーサ６を配設する。
【００１４】
一方、スペーサ１１の内面側に絶縁スペーサ１２を取り付け、この絶縁スペーサ１２の支持孔１３に陽極体１４を挿入して固定支持する。
【００１５】
そして、この陽極体１４が取り付けられている状態でスペーサ１１を筒状陰極３内に挿入して気密に固定して筒状陰極３の他端を気密に閉塞するするとともに、陽極体１４の陽極１５の先端を絶縁スペーサ６の支持孔７に挿入して固定する。
【００１６】
さらに、排気管５から気密ケース２内の基体を排気して真空状態にし、再び排気管５からキセノンガスを気密ケース２内に供給し、排気管５を封止して気密ケース２を気密状態にする。
【００１７】
次に、上記実施の形態の動作などについて説明する。
【００１８】
陽極体１４の陽極１５および筒状陰極３間に直流電圧を印加した状態で、放射線検出器１にたとえばγ線などの放射線が照射されると、キセノンガスが陽イオンと電子に分離され、陽極１５に電子が収集されて電離電流が流れて陽極端子１６から放射線の強さに応じた電流を出力する。
【００１９】
そして、キセノンガスを１０気圧ないし３０気圧の範囲で気密ケース２内に封入しているため、従来の放射線検出器に比較し小型化できる。
【００２０】
また、使用中に放射線検出器１に振動あるいは衝撃が加わったとしても、陽極１５および陽極端子１６は陽極体１４により一体に形成されており、陽極１５および陽極端子１６の間には機械的な接続部分がないため歪が生じにくく、出力が振動あるいは衝撃により変動することを抑制できる。
【００２１】
さらに、陽極体１４は、陽極１５および陽極端子１６が一体に形成されているとともに、間隔を介して絶縁スペーサ６の支持孔７で陽極体１４の先端を支持固定し、絶縁スペーサ１２の支持孔１３で陽極体１４の基端側を支持固定するため、横荷重による撓みも少なく、より衝撃あるいは振動による影響を受けにくい。
【００２２】
次に、他の実施の形態を図２を参照して説明する。
【００２３】
この図２に示す放射線検出器１は、基本的な構成は図１に示す放射線検出器１と同様である。そして、図１に示す放射線検出器１では陽極体１４の先端を絶縁スペーサ６の支持孔７により支持しているが、図２に示す放射線検出器１では、陽極体１４の先端側には絶縁スペーサを有さず、陽極体１４は基端側が絶縁スペーサ１２の支持孔１３により支持固定され、すなわち陽極体１４は絶縁スペーサ１２により筒状陰極３に片持ち支持固定されているものである。
【００２４】
このように、陽極１５および陽極端子１６を一体の陽極体１４で構成することにより、陽極１５および陽極端子１６間に接続部がないため歪が生じないので、陽極体１４を片持ちにしても耐振動および耐衝撃性が大幅に向上し、封止板４側の絶縁スペーサをなくして製作時のコストを抑制できる。なお、製造に際しては図１に示す放射線検出器１と同様に、スペーサ１１に取り付けられた絶縁スペーサ１２の支持孔１３に陽極体１４を挿入して保持固定することにより、陽極１５を筒状陰極３に同軸上に支持固定できるため、製造も容易にできる。
【００２５】
【発明の効果】
本発明によれば、筒状陰極内に配置された陽極および気密容器外に導出する陽極端子を一体にした陽極体を用いることにより、振動または衝撃が生じても陽極体は陽極および陽極端子が一体で接続する部分がないため歪が生じないので、入射された放射線により電離ガスが陽イオンと電子に分離され、陽極に電子が収集されて電離電流が流れて陽極端子から出力する際の出力の変動を防止し、安定するとともに信頼性を向上できる。
【図面の簡単な説明】
【図１】本発明の放射線検出器の一実施の形態を示す断面図である。
【図２】同上他の実施の形態の放射線検出器を示す断面図である。
【符号の説明】
１    放射線検出器
２    気密容器としての気密ケース
３    筒状陰極
１４    陽極体
１５    陽極
１６    陽極端子
【図１】
2004212289.tif 000003
【図２】
2004212289.tif 000004